(57)【要約】  【課題】  ＬＥＤ等の照明に起因して発生する熱を効率的に外部に放熱するとともに、耐久性にも優れた照明機能を有する手すりを提供する。  【解決手段】  手すり棒４は、断面形状が凹溝５を有する棒状に形成され、凹溝５には、凹状の補強ステー５０が嵌合される。補強ステー５０には、凹状の放熱手段７０が取り付けられるが、放熱手段７０の側板７０ｂは、補強ステー５０の側板５０ｂと離間し、側板５０ｂと側板７０ｂとの間に、手すり棒４の外気と直接つながる空気対流層としての空間部７１が形成される。これにより、側板７０ｂは、外気に直接解放された放熱手段７０の放熱部として機能し、照明手段８０から発生した熱は、放熱手段７０の側板７０ｂから空間部７１へと効率よく放熱される。【選択図】  図６
2018066150.tif 000002
【特許請求の範囲】
【請求項１】
手すり棒の溝に照明手段を収納した手すりであって、
前記手すり棒を補強する補強手段と、
前記照明手段から発生する熱を放熱する放熱手段と、
を有し、
前記放熱手段は、外気に直接解放した放熱部を有していること
を特徴とする手すり。
【請求項２】
前記手すり棒と前記補強手段と前記放熱手段の少なくともいずれか１つに、組み合わされたとき前記照明手段の配線通路を形成する溝を設けたこと
を特徴とする請求項１記載の手すり。
【請求項３】
前記照明手段から発生する熱を前記放熱手段に伝える熱伝導層を、前記照明手段と前記放熱手段との間に設けたこと
を特徴とする請求項１または請求項２に記載の手すり。
【請求項４】
前記補強手段と前記放熱手段を一体にしたこと
を特徴とする請求項１から請求項３のいずれか１項に記載の手すり。
【請求項５】
前記照明手段の照明方向側に、前記放熱手段の前記放熱部を被覆することのないカバーを設けたこと
を特徴とする請求項１から請求項４のいずれか１項に記載の手すり。
【請求項６】
前記手すり棒の外周に、難燃性、耐湿性、耐候性、防虫性、抗菌性、防水性、防汚性、形状安定性、補強性の少なくとも１つ以上の機能を有する機能剤をコーティングまたは含浸した木製材料を用いること
を特徴とする請求項１から請求項５のいずれか１項に記載の手すり。
【請求項７】
前記手すり棒に、難燃性、耐湿性、耐候性、防虫性、抗菌性、防水性、防汚性、形状安定性、補強性の少なくとも１つ以上の機能を有する機能剤を混合した複合材を用いること
を特徴とする請求項１から請求項５のいずれか１項に記載の手すり。
【請求項８】
前記手すり棒の外周表面に、難燃性、耐湿性、耐候性、防虫性、抗菌性、防水性、防汚性、形状安定性、補強性、手ざわり性の少なくとも１つ以上の機能を有する機能層を設けたこと
を特徴とする請求項１から請求項５のいずれか１項に記載の手すり。
【発明の詳細な説明】
【技術分野】
【０００１】
本発明は、照明機能を有する手すりに関する。
【背景技術】
【０００２】
従来、屋外および屋内の階段、玄関、道路脇、通路、廊下、プールサイド、ベランダ、浴室、トイレなどに設置して、歩行者の足元を照明し暗闇の歩行の安全を確保するために、照明機能を持たせた手すりが提案されている（例えば、特許文献１，２参照）。
【０００３】
特許文献１に記載された照明機能を持たせた手すり（以下、単に「照明手すり」とも呼ぶ）は、手すり棒の凹溝に収納したＬＥＤ照明を単にカバーで覆う構成となっている。
【０００４】
特許文献２に記載された照明手すりは、手すり棒の凹溝の底板とカバーにそれぞれ通気孔を設け、手すり棒の凹溝に収納したＬＥＤ照明をカバーで覆うようにすることで、ＬＥＤ照明から発生する熱を各通気孔を介して放熱する構成となっている。
【先行技術文献】
【特許文献】
【０００５】
【特許文献１】特開２０１５−１８３３９４号公報
【特許文献２】実用新案登録第３１６７０７７号公報
【発明の概要】
【発明が解決しようとする課題】
【０００６】
しかしながら、特許文献１に記載された照明手すりは、手すり棒の凹溝に単にＬＥＤ照明が収納されたもので、ＬＥＤ照明がカバーで完全に覆われ外気と遮断されている。その結果、手すり棒の凹溝内に熱が充満しＬＥＤ照明から発生する熱を手すり棒外に放熱することが困難である。
【０００７】
また、特許文献２に記載された照明手すりは、通気孔という放熱手段は有しているものの、ＬＥＤ照明から発生する熱を通気孔を通した対流により放熱する構成なので、ＬＥＤ照明から発生する熱を効率的に手すり棒外部に放熱することができないという問題点がある。
【０００８】
さらに、特許文献１，２に記載された照明手すりは、手すり棒を切り欠いて凹溝を設ける構成であるが、手すり棒に対する効果的な補強対策が行われておらず、その結果、手すり棒の強度が弱くなり、延いては照明機能の耐久性に影響が生じるという問題点がある。
【０００９】
本発明は、上記したような問題点に鑑みなされたもので、その目的とするところは、ＬＥＤ等の照明に起因して発生する熱を効率的に外部に放熱するとともに、耐久性にも優れた安心安全な照明機能を有する手すりを提供することにある。
【課題を解決するための手段】
【００１０】
本発明は、以下の適用例として実現することが可能である。なお、本欄における括弧内の参照符号や補足説明等は、本発明の理解を助けるために、後述する実施形態との主な対応関係を示したものであって、本発明を何ら限定するものではない。
【００１１】
［適用例１］
本発明の適用例１の手すりは、手すり棒（手すり棒４、パイプ型手すり棒４ａ）の溝（凹溝５）に照明手段（照明手段８０）を収納した手すり（手すり１）であって、手すり棒を補強する補強手段（補強ステー５０、補強放熱手段９０）と、照明手段から発生する熱を放熱する放熱手段（放熱手段７０、補強放熱手段９０）と、を有し、放熱手段は、外気に直接解放した放熱部（側板７０ｂ，９０ｂ，９０ｂ１，９０ｂ２、底板９０ａ、鍔９０ｃ）を有していることを要旨とする。
【００１２】
このような構成の適用例１記載の発明では、手すり棒は、補強手段により補強されるとともに、外気に直接解放した放熱部を有する放熱手段により、効率的な放熱が可能になる。その結果、手すり棒の強度が増すとともに、手すり棒にどのような材質の材料を使用しても、手すり棒の溝に発熱量の高い高輝度な照明手段を組み込み、より明るい照明が可能な手すりを提供することが可能となる。
【００１３】
ここで、補強手段の断面形状は、外部からかかる荷重に耐えうる断面２字モーメントの形状にした構造材を用いる。
また、補強手段は、鋼材、エンジニアプラスチック、ＦＲＰ、ＣＦＲＰその他剛性を有する材料を用いて形成するとよい。
このように構成すると、溝を有するどのような材料の手すり棒を用いた場合であっても、必要な強度の手すりを提供できる。
【００１４】
また、放熱手段は、照明手段発熱量＜放熱手段放熱量となるように、少なくとも照明手段の発熱量を放熱部に伝えることができる熱伝導量の形状と材料により形成する。さらに、放熱部に放熱フィン（放熱フィン９１）を設けるようにするとよい。
このように構成すると、照明手段発熱量の効率的な放熱が可能になる。
また、放熱手段は、付加的な耐荷重性を持たせる形状や材料を用いて形成するとよい。
このように構成すると、手すり棒の材料原価を低減することができる。
【００１５】
また、照明手段に防水被覆層（防水シールド８４）を設けるとよい。
このように構成すると、照明手段を容易に防水構造とすることができる。
【００１６】
［適用例２］
本発明の適用例２の手すりは、適用例１記載の手すりにおいて、手すり棒と補強手段と放熱手段の少なくともいずれか１つに、組み合わされたとき照明手段の配線通路を形成する溝（配線通路凹溝６０）を設けたことを要旨とする。
溝の形状は配線可能であれば、どのような形状であってもよいことは言うまでもない。
このような構成の適用例２記載の発明では、効率的で、より簡単に配線することができる照明手すりを提供することが可能となる。
【００１７】
［適用例３］
本発明の適用例３の手すりは、適用例１または適用例２記載の手すりにおいて、照明手段から発生する熱を放熱手段に伝える熱伝導層（熱伝導層８３）を、照明手段と放熱手段との間に設けたことを要旨とする。
このような構成の適用例３記載の発明では、照明手段から発生する熱は、熱伝導層により、放熱手段へ効率よく伝導される。
【００１８】
なお、照明手段を構成する発光源（ＬＥＤ等）を搭載する基板は、放熱基板にするとよい。
このように構成すると、照明手段から発生する熱を、熱伝導層および放熱基板により、放熱手段へさらに効率よく伝導することができる。
【００１９】
［適用例４］
本発明の適用例４の手すりは、適用例１から適用例３のいずれか１つに記載の手すりにおいて、補強手段と放熱手段を一体（補強放熱手段９０）にしたことを要旨とする。
このような構成の適用例４記載の発明では、補強手段と放熱手段を備える手すりの構成を簡素化して組み立てが容易になるとともに、手すりの材料原価を低減することができる。
【００２０】
［適用例５］
本発明の適用例５の手すりは、適用例１から適用例４のいずれか１つに記載の手すりにおいて、照明手段の照明方向側に、放熱手段の放熱部を被覆することのないカバー（カバー４０）を設けたことを要旨とする。
このような構成の適用例５記載の発明では、放熱部からの放熱を妨げることなく、照明手段を保護できるとともに、光をカバーの光透過部を通して外部に照射することができる。さらに、照明手段が汚れることなく、カバー表面を清掃するだけで照明手段の照度が回復でき、メンテナンスが容易となる。
【００２１】
なお、カバーの代わりにレンズ（レンズ９３）を設けるようにしてもよい。
このように構成すると、レンズがカバーの機能を兼ねるとともに、照明手段から発せられた光は下方に向かって拡散、集光、散乱され、手すり棒の照明範囲を任意に調整することが可能となる。
また、光拡散シートを用い、投光を均一にしてもよい。
【００２２】
［適用例６］
本発明の適用例６の手すりは、適用例１から適用例５のいずれか１つに記載の手すりにおいて、手すり棒の外周に、難燃性、耐湿性、耐候性、防虫性、抗菌性、防水性、防汚性、形状安定性、補強性の少なくとも１つ以上の機能を有する機能剤をコーティングまたは含浸した木製材料を用いることを要旨とする。
【００２３】
［適用例７］
本発明の適用例７の手すりは、適用例１から適用例５のいずれか１つに記載の手すりにおいて、手すり棒に、難燃性、耐湿性、耐候性、防虫性、抗菌性、防水性、防汚性、形状安定性、補強性の少なくとも１つ以上の機能を有する機能剤を混合した複合材を用いることを要旨とする。
【００２４】
［適用例８］
本発明の適用例８の手すりは、適用例１から適用例５のいずれか１つに記載の手すりにおいて、手すり棒の外周表面に、難燃性、耐湿性、耐候性、防虫性、抗菌性、防水性、防汚性、形状安定性、補強性、手ざわり性の少なくとも１つ以上の機能を有する機能層（シート）を設けたことを要旨とする。
【００２５】
このような構成の適用例６，７，８記載の発明では、難燃性、耐湿性、耐候性、防虫性、抗菌性、防水性、防汚性、形状安定性、補強性、手ざわり性を有し、かつ、高輝度照明が可能なので、屋外での使用が可能で、長持ちし、手ざわりもよく、より安心安全な照明手すりを提供することが可能となる。
【００２６】
また、適用例６，７，８記載の発明では、別途設ける補強材（補強手段５０、放熱手段７０、補強放熱手段９０）に対し付加的補強が可能となる。その結果、補強材の断面積形状を極力小さくでき、補強材の材料原価を低減することができる
【００２７】
また、適用例６記載の発明では、熱伝導性が金属材に比べて劣る木製材料を手すり棒本体に用いても、超高輝度な照明手段（ＬＥＤ）を組み込んだ木製照明手すりを提供することが可能になるとともに、屋外の使用に好適な、変形やささくれや変色がしにくく長持ちで安心安全な木製照明手すりを提供することが可能になる。
【発明の効果】
【００２８】
本発明によれば、照明に起因して発生する熱を効率的に外部に放熱できるとともに、強度、難燃性、耐湿性、耐候性、防虫性、抗菌性、防水性、防汚性、形状安定性、補強性、手ざわり性にも優れた照明機能を有する手すりを提供することができる。
【図面の簡単な説明】
【００２９】
【図１】手すり１を傾斜地に設置した場合の設置図である。
【図２】図１のＡ部拡大図である。
【図３】図２のＢ−Ｂ断面図である。
【図４】裏側から視た手すり棒４の部分分解斜視図である。
【図５】裏側から視た手すり棒４の部分斜視図である。
【図６】図１のＣ−Ｃ断面図である。
【図７】タイプ１の手すり棒４の断面図である。
【図８】タイプ２の手すり棒４の断面図である。
【図９】タイプ３の手すり棒４の断面図である。
【図１０】タイプ４の手すり棒４の断面図である。
【発明を実施するための形態】
【００３０】
以下に本発明の実施形態を図面とともに説明する。
［手すりの全体構成］
図１は、本発明の実施形態に係る手すり１を傾斜地に設置した場合の設置図、図２は、図１のＡ部拡大図、図３は、図２のＢ−Ｂ断面図、図４は、裏側から視た手すり棒４の部分分解斜視図、図５は、図４に示す分解した手すり棒４を組み立てた場合であって、裏側から視た手すり棒４の部分斜視図、図６は、図１のＣ−Ｃ断面図である。
【００３１】
本発明の手すり１は、図１〜６に示すように、手すり棒４の下部に凹溝５を有し、この凹溝５に補強手段（補強ステー５０）と、照明手段８０と、配線手段６１（配線通路凹溝６０）と、放熱手段７０とが設けられ、照明に起因して発生する熱を効率的に外部に放熱するとともに、図示しないがＬＥＤ８２の発光素子が過度に高温になることがなく、耐久性に優れた構成を有しているものである。
なお、本発明の手すり１は、本実施形態では傾斜地に設置した場合について説明するが、これは、特に限定されるものではなく、平地に設置する場合や、壁に直接手すり棒４を固定するタイプにも適用できることは言うまでもない。
【００３２】
図１に示すように、手すり１は、傾斜地に垂設される２本の支柱２と、この支柱２に架設される手すり棒４とを有している。手すり棒４の両端には、手すり棒４の端部を閉塞かつ装飾するキャップ７が取り付けられている。
支柱２は、適宜の工法で地面に固定されている。支柱２の先端は、図２，３に示すように、ネジ１２により高さ調整自在に細径支柱３が螺合し、傾斜地の設置面の高さの変化する割合が微妙に異なっても、現場で容易にそれぞれの細径支柱３を回転させ高さ調整が可能である。
【００３３】
凹溝５には、傾斜地の長さにあわせて配置された手すり固定金具６が、凹溝５の開口部８（図６参照）と対向する底面５ａに補強手段としての補強ステー５０を介して支柱固定ネジ１０で固定されている。つまり、支柱固定ネジ１０は、支柱固定ネジ１０および補強ステー５０をまとめて凹溝５に固定する。
なお、手すり棒４は、上記以外の他の固定手段で固定するようにしてもよい。
【００３４】
細径支柱３と手すり固定金具６は揺動自在に連結され、傾斜地の角度にあわせ角度が調整された後、角度固定ネジ１１で固定される。
なお、図３において、５０ｂは、底面５ａの端部から下方に垂設される補強ステー５０の側板であり、６０は、後述する配線手段６１を構成する配線通路凹溝である。
配線通路凹溝６０は凹状としたが、配線手段６１としての配線通路を形成するのであれば、どのような形状の溝であってもよい。
【００３５】
［手すり棒の構成］
次に、図４〜６を用いて手すり棒４の構成について詳述する。
手すり棒４は、その下部側が穿設され、長手方向と直行する断面形状を、凹溝５を有する棒状（円形状）に形成されている。
なお、手すり棒４の長手方向と直行する断面形状は、円形状に限ることなく、楕円状、雨滴状、角状、偏平状、略三角形状など、手すり１に使用できる形状であれば、どのような断面形状であってもよいことは言うまでもない。
また、手すり棒４は、中密状でも、中空状でもよい。
凹溝５は、手すり棒４の長手方向の全長に亘って一連形成されており、底面５ａと、側面５ｂとを有している。底面５ａの短手方向の略中央部分には、手すり棒４の長手方向と直行する断面形状が凹状の配線通路凹溝６０が、底面５ａと同様に手すり棒４の長手方向の全長に亘って一連形成されている。
【００３６】
［補強手段］
凹溝５には、補強ステー５０が嵌合して取り付けられる。補強ステー５０は、手すり棒４の長手方向と直行する断面形状が凹状に形成され、凹溝５と同様に手すり棒４の長手方向の全長に亘って一連形成されている。そして、この補強ステー５０の断面形状は、外部からかかる荷重に耐えうる断面２字モーメントの形状にした構造材を用いて形成されている。
【００３７】
補強ステー５０は、例えばヤング率の大きい（剛性が高い）鉄、ニッケル、ステンレスなどの金属材料や、エンジニアプラスチック、ＦＲＰ（繊維強化プラスチック（Fiberglass Reinforced Plastics））、ＣＦＲＰ（炭素繊維強化プラスチック（Carbon Fiber Reinforced Plastics））、その他剛性を有する材料から成る底板５０ａおよび側板５０ｂを有している。
【００３８】
［配線手段］
このように形成される補強ステー５０は、凹溝５に取り付けたとき、底板５０ａが凹溝５の底面５ａと、側板５０ｂが凹溝５の側面５ｂとにそれぞれ重合する形状で、凹溝５に支柱固定ネジ１０で螺着される。
しかして、補強ステー５０を凹溝５に取り付けたとき、図５，６（ａ）に示すように、補強ステー５０の底板５０ａにより配線通路凹溝６０の開放箇所が閉塞され、これにより配線手段６１が自動的に形成される。すなわち、手すり棒４の凹溝５に配線通路凹溝６０を設けることにより、手すり棒４と補強手段５０とを組み合わせたとき、照明手段８０の配線通路としての配線手段６１が形成される。
【００３９】
［放熱手段］
補強ステー５０の短手方向の略中央部分には、手すり棒４の長手方向と直行する断面形状が略凹状の放熱手段７０が、手すり棒４の長手方向の所定区間（例えば、図１に示す左右の支柱２の間の区間）に、一連に適宜手段（係止、螺着、貼着等）で取り付けられるようになっている。
放熱手段７０は、例えば伝熱特性の良いアルミニウム、鉄、銅、熱伝導複合樹脂材などの材料から成る底板７０ａおよび側板７０ｂを有し、付加的な耐荷重特性を持たせる形状や材料を用いて形成されている。
【００４０】
放熱手段７０の底板７０ａの幅は、補強ステー５０の底板５０ａよりも空間部７１で対流が発生するのに充分な空間を確保できる寸法に短く形成され、放熱手段７０の側板７０ｂは、補強ステー５０の側板５０ｂと同じ長さに形成される。また、放熱手段７０の側板７０ｂの先端部分は段差状に形成された先端部７０ｃが設けられ、この先端部７０ｃに後述のカバー４０が取り付けられるようになっている。
【００４１】
放熱手段７０は、このように構成されるので、放熱手段７０を補強ステー５０に取り付けたとき、底板７０ａは補強ステー５０の底板５０ａに重合するが、側板７０ｂは、補強ステー５０の側板５０ｂと対流が起きるのに充分な所定の距離だけ離間し、その結果、側板５０ｂと側板７０ｂとの間に、図５，６（ａ）に示すように、対流が発生する空間部７１が形成される。この空間部７１は、外気と直接つながる空気層である。
【００４２】
すなわち、放熱手段７０は、外気に直接解放した放熱部としての側板７０ｂを有し、少なくとも照明手段８０の発熱量を放熱部に伝えることができる熱伝導量の形状と材料により形成され、これにより、照明手段８０の熱は、放熱手段７０を介して空間部７１の対流により、外部へ効率よく排熱できる。
【００４３】
［照明手段］
照明手段８０は、テープ状の基板８１と、ＬＥＤ８２とを有している。基板８１には、図示しないがＬＥＤ８２を点灯するための駆動回路が設けられ、ＬＥＤ８２は、複数、所定の間隔でハンダ付けされて基板８１に搭載されている。図中、８４は、防水被覆層としての防水シールドであり、この防水シールド８４は、基板８１とＬＥＤ８２とを透明シリコン樹脂などの防水性樹脂でコーティングしたもので、照明手段８０を湿気や結露から保護する（図６（ｂ）参照）。
【００４４】
照明手段８０の基板８１は、放熱を考慮した放熱基板としてもよい。この放熱基板８１は、例えば、配線用銅板面積を最大にした基板や、メタルをベースとしたメタルベース基板もしくは基板内部にメタル板を挟み込んだメタルコア基板として形成される。そして、この放熱基板８１の表面（ＬＥＤ８２がハンダ付けされる面および放熱手段７０の底板７０ａ側の面）に、熱伝導シートの貼付や熱伝導剤が塗布された熱伝導層８３が形成されている。なお、メタル材料としてはアルミニュウムや銅等が挙げられ、熱伝導層８３の一例としては、高熱伝導材が混合されたシリコン系樹脂やポリウレタン系樹脂等の高熱伝導性のグリスや樹脂シートを、基板８１表面とＬＥＤ８２間および基板８１と放熱手段７０の底板７０ａの間に介在させること等が挙げられる。
【００４５】
照明手段８０は、基板８１の裏面（ＬＥＤ８２がハンダ付けされていない面）を放熱手段７０の底板７０ａに重合するように、放熱手段７０の短手方向の略中央に適宜手段（螺着、貼着等）で取り付けられ、これにより、手すり棒４の凹溝５に照明手段８０が収納される。なお、照明手段８０は、照明方向を３６０度任意の方向に回動して固定するようにしてもよい。また、照明方向を任意の方向に設定するため、所定の角度傾斜させて底板７０ａまたは底面５ａを形成してもよい。
そして、照明手段８０を放熱手段７０に取り付けたとき、図６（ｂ）に示すように、熱伝導層８３が基板８１の裏面と放熱手段７０の底板７０ａの間に介在するようになっている。
【００４６】
すなわち、照明手段８０の発熱を放熱手段７０に伝える熱伝導手段（熱伝導層８３）を、照明手段８０と放熱手段７０との間に設けている。これにより、照明手段８０の熱は、熱伝導手段（熱伝導層８３）から放熱手段７０へ効率よく伝導される。
【００４７】
なお、基板８１は、図示していないが、所定の長さに形成され、所定数のＬＥＤ８２が所定間隔で取り付けられるようになっている。従って、照明手段８０は、複数の基板８１から成り、これら複数の基板８１が放熱手段７０に一連状に取り付けられて形成されている。各基板８１の回路は、導線やはんだ付け等によって並列に接続され、それぞれの基板８１どうしの回路も不図示の導線によって並列に接続されている。
なお、本実施形態における上記の並列配線は、直列配線としてもよいことは言うまでもない。
【００４８】
また、基板８１には、不図示の電源部から延びる導線が接続されている。この導線は、商用電源から供給される電力をＬＥＤ８２に供給するものである。つまり、商用電源のコンセントに接続したＡＣアダプタが電源部に接続し、この電源部から延びる導線が基板８１に接続される。商用電源からＡＣアダプタに交流電力が入力されると、ＡＣアダプタから所定の直流電力（例えば１２Ｖあるいは２４Ｖ）が出力され、この直流電力が電源部に供給される。そして、電源部から導線を流れて基板８１の駆動回路に直流電力が供給され、これによりＬＥＤ８２が所定の態様で発光する。
【００４９】
電源部から基板８１に延びる導線、および、基板８１どうしの回路を接続する導線は、配線通路凹溝６０の中を通って配線される。従って、補強ステー５０の底板５０ａおよび放熱手段７０の底板７０ａには、配線通路凹溝６０に配線された導線を基板８１側に導出して接続するための不図示の孔等の導出手段が設けられている。
なお、ＡＣアダプタから基板８１までの配線は、手すり棒４がパイプ状であれば、パイプ状の中空部を通してもよい。さらに、配線通路凹溝６０をパイプ状の中空部で代用してもよい。
【００５０】
［照明カバー］
カバー４０は、例えばポリカーボネイト製の半透明のものであり、手すり棒４の長手方向に少なくとも配置された照明手段８０の箇所を覆うように、一連状に放熱手段７０の先端部７０ｃに適宜手段（螺着、貼着等）で着脱自在に取り付けられる。すなわち、カバー４０は、図５，６（ａ）に示すように、照明手段８０の照明方向側に、放熱手段７０の放熱部（側板７０ｂ）および空間部７１を外部大気に対して被覆することがない形状で放熱手段７０に取り付けられている。
【００５１】
これにより、カバー４０が放熱手段７０に取り付けられても、放熱部（側板７０ｂ）から空間部７１を通して外部への放熱を妨げることがなく、ＬＥＤ８２の発光した光がカバー４０の光透過部を介して外部に照射される。また、カバー４０は、着脱自在に放熱手段７０に取り付けられているので、基板８１やＬＥＤ８２が破損しても、容易に修理や交換することができる。また、カバー４０により、照明手段８０が汚れにくくなり、カバー４０を清めるだけで照明手段８０の照度が回復でき、メンテナンスが容易となる。
【００５２】
以上、手すり棒４の構成について説明したが、上記の説明では、補強手段としての補強ステー５０は、手すり棒４の長手方向の全長に亘って一連に形成するようにしたが、これは限定することなく、複数の補強ステー５０を所定間隔毎に設けるようにしてもよい。
同様に、放熱手段７０は、手すり棒４の長手方向の所定区間に亘って一連に形成するようにしたが、これは限定することなく、複数の放熱手段７０を所定間隔毎に設けるようにしてもよい。そして、この場合、照明手段８０の基板８１は、放熱手段７０に対応して配置するようにすればよい。これは、カバー４０も同様である。
【００５３】
また、配線手段６１は、手すり棒４の本体（凹溝５）に配線通路凹溝６０を設け、手すり棒４と補強手段５０とを組み合わせたときに形成されるようにしたが、これは限定することなく、手すり棒４本体と補強手段５０と放熱手段７０の少なくともいずれか１つに、組み合わされたとき配線通路としての配線手段６１を形成する配線通路凹溝６０を設けるようにすればよい（具体例は、後述の手すり棒４の変形例（図７〜１０）に示す）。
【００５４】
［手すり棒の材料および機能等］
ここで、手すり棒４は、その外周に、難燃性、耐湿性、耐候性、防虫性、抗菌性、防水性、防汚性、形状安定性、補強性の少なくとも１つ以上の機能を有する機能剤をコーティングまたは含浸した木製材料を用いて構成されている。
なお、手すり棒４は、難燃性、耐湿性、耐候性、防虫性、抗菌性、防水性、防汚性、形状安定性、補強性の少なくとも１つ以上の機能を有する機能剤を混合した複合材を用いて構成してもよい。
あるいは、手すり棒４は、その外周表面に、難燃性、耐湿性、耐候性、防虫性、抗菌性、防水性、防汚性、形状安定性、補強性、手ざわり性の少なくとも１つ以上の機能を有する機能層（シート）を設けて構成してもよい。
【００５５】
［難燃性］
難燃性は、一例として、室温で安定なホウ素化合物の水溶液を含む液状の防火・耐火・不燃組成物を、対象物にコーティング、含浸または噴霧した後、乾燥させることにより得られる。
【００５６】
より具体的には、水１００ｇに対して、ホウ酸２０ｇ、ホウ砂２５ｇを加えて加温した後、室温（例えば２０度）で冷却することにより、室温で安定なホウ素化合物の水溶液を生成する。そして、このホウ素化合物の水溶液を含む液状の防火・耐火・不燃組成物を、対象物に１ｋｇ当り１００ｇ以上コーティング、含浸または噴霧することにより、難燃性に優れた対象物が得られる。なお、この場合の対象物は、木製材料の他、複合材、紙、織布および不織布などが特に好適である。
【００５７】
また、難燃性の他の例としては、硼素化合物を含む弱酸又は弱アルカリの金属塩水溶液に燐酸およびシランカップリング剤を加えて混合水溶液（金属塩は全成分重量の１〜１０％、シランカップリング剤は全成分重量の０．１〜５％）とし、この混合水溶液にポリフェノール系化合物を主成分とする植物抽出物および酒石酸アンチモン塩（全成分重量の０．５〜４０％）を加えて不燃処理液を生成する。そして、この不燃処理液を対象物にコーティング、含浸または噴霧することにより、難燃性に優れた対象物が得られる。なお、この場合の対象物は、木製材料の他、複合材、紙および天然繊維等のセルロースを主成分とする部材などが特に好適である。
【００５８】
［耐湿性、耐候性］
耐湿性、耐候性は、一例として、木質材に重合性樹脂液を注入し、加熱重合硬化により木材とプラスチックとが複合化された木材・プラスチック複合材を用いる。この場合、重合性樹脂液中の重合性樹脂モノマー分に対する溶剤の添加比率を９：１〜５：５とするのが好ましい。
【００５９】
［防虫性］
防虫性は、一例として、防虫性化合物を対象物にコーティング、含浸または噴霧する。防虫性化合物としては、例えば、ピレトリン、エンペントリン、アレスリン、プラレスリン、ｄ−レスメトリン、ｄ-フェノトリン、シフェノトリン、ペルメトリン、シペルメトリン、シハロトリン、シフルトリン、ビフェントリン、フェンバレレート、フェンプロパスリン、エトフェンプロクス、フルフェンプロックスなどのピレスロイド、メソプレン、ピリプロキシフェンなどの幼若ホルモン（ＪＨ）様化合物、フェニトロチオンなどの有機リン系薬剤が挙げられる。
【００６０】
［抗菌性］
抗菌性は、一例として、抗菌性化合物を対象物にコーティング、含浸または噴霧する。抗菌性化合物としては、例えば、フェノール系抗菌成分や四級アンモニウム塩の抗菌成分、イソチアゾリン系抗菌成分など各種の化合物が用いられる。フェノール系抗菌剤としては、３−メチル−４−イソプロピルフェノール、オルト−フェニルフェノール、ベンゾチアゾール系抗菌剤としては、５−クロロ−２−メチル−４−イソチアゾリン−３−オン、２−メルカプトベンゾチアゾール、イソチアゾリン系抗菌剤としては、２−ｎ−オクチル−４−イソチアゾリン−３−オン、５−クロロ−２−メチル−４−イソチアゾリン−３−オンが挙げられる
【００６１】
［防水性］
防水性は、一例として、低分子量のシリコン系オリゴマーを含浸させた後、表面に撥水性の高分子量シリコン樹脂被膜を形成することなどが挙げられる。
形状安定性、補強性は、一例として、外形の保持に寄与する形状安定性表面被覆や、外部からかかる荷重に耐えうる断面２字モーメントの形状にした構造材を用いることなどが挙げられる。
【００６２】
［防汚性］
防汚性は、一例として、二酸化チタンからなる光触媒を主剤とする塗料や複合剤を手すり棒４表面に塗布して、防汚性を手すり棒４に付与することなどが挙げられる。
【００６３】
［手ざわり性］
手ざわり性は、一例として、金属製の手すり棒４にＣＦＲＰシートを貼着して形成することなどが挙げられる。ＣＦＲＰは熱伝導度が小さく、極寒の時期で屋外に設置された手すり１であっても、手の平に手すり棒４の冷たさが伝わりにくく、手ざわり感がよく、気持ちよく使用することができる。
なお、各機能剤と機能層は入手可能なもので、適用可能なものであれば、どのようなものを用いてもよいことは言うまでもない。
【００６４】
［手すり棒の変形例］
次に、図７〜１０用いて、手すり棒４の変形例について説明する。なお、手すり棒４の変形例を示す図７〜１０は、上記実施形態で用いた図６（ａ）に対応しているが、説明容易のため、断面を示すハッチング線は省略している。
図７は、変形例に係るタイプ１の手すり棒４の断面図、図８は、変形例に係るタイプ２の手すり棒４の断面図、図９は、変形例に係るタイプ３の手すり棒４の断面図、図１０は、変形例に係るタイプ４の手すり棒４の断面図である。
なお、以下では、上述した構成と異なる部分について詳しく説明し、同じ構成については説明を簡略または省略する。
【００６５】
［タイプ１］
図７に示すタイプ１の手すり棒４の特徴は、補強ステー（補強手段）５０と放熱手段７０とが別体であり、補強ステー５０の側板５０ｂと放熱手段７０の側板７０ｂとの間に外気と直接つながる空間部７１が形成さていることである。従って、上記実施形態で説明した手すり棒４（図６参照）も、このタイプ１に含まれる。
【００６６】
図７（Ａ）において、放熱手段７０は、上記実施形態とは上下逆向きであって、手すり棒４の長手方向と直行する断面形状が凹状に形成される。すなわち、図７（Ａ）に示す放熱手段７０は、底板が省略され、代わりに上板７０ｄが設けられている。この上板７０ｄは、補強ステー５０の底板５０ａよりも短く形成され、上板７０ｄの両端から延びる放熱手段７０の側板（放熱部）７０ｂは、補強ステー５０の側板５０ｂの略半分の長さに形成され、底板５０ａに当接している。
【００６７】
この構成により、側板７０ｂは、補強ステー５０の側板５０ｂと所定の長さだけ離間し、補強ステー５０の側板５０ｂと放熱手段７０の側板７０ｂとの間に外気と直接つながり対流が起きるのに充分な空間部７１が形成される。すなわち、放熱手段７０には、外気に直接解放した放熱部（側板７０ｂ）が形成される。
【００６８】
また、放熱手段７０の上板７０ｄおよび側板７０ｂにより形成される、手すり棒４の長手方向と直行する断面形状が凹状の配線通路凹溝６０は、放熱手段７０を補強ステー５０に取り付けたとき、つまり、放熱手段７０の側板７０ｂを補強ステー５０の底板５０ａに取り付けたとき、図７（Ａ）に示すように、補強ステー５０の底板５０ａにより配線通路凹溝６０の開放箇所が閉塞され、これにより配線手段６１（配線通路）が自動的に形成される。すなわち、放熱手段７０に配線通路凹溝６０を設けることにより、放熱手段７０と補強手段５０が組み合わされたとき配線手段６１（配線通路）が形成される。
なお、照明手段８０は、放熱手段７０の上板７０ｄに、基板８１の裏面および熱伝導層８３が放熱手段７０の上板７０ｄに当接するように取り付けられる（図６（ｂ）参照）。また、図７（Ａ）に示す手すり棒４では、カバー４０は設けられていない。
【００６９】
図７（Ｂ）において、放熱手段７０は、図７（Ａ）に示した放熱手段７０の側板（放熱部）７０ｂが、手すり棒４の凹溝５の開放側に向かって補強ステー５０の側板５０ｂの長さと略同等まで延びた形状となっている。つまり、図７（Ｂ）に示す放熱手段７０は、図７（Ａ）に示した放熱手段７０よりも側板７０ｂが大きく、手すり棒４の長手方向と直行する断面形状が略Ｈ状に形成され、上下方向の略中央に中板７０ｅを有している。従って側板７０ｂが延びたことにより、図７（Ｂ）の手すり棒４の方が、図７（Ａ）の手すり棒４よりも、空間部７１が大きく形成される。
なお、照明手段８０は、放熱手段７０の中板７０ｅに、基板８１の裏面および熱伝導層８３が、放熱手段７０の中板７０ｅおよび側板７０ｂに当接するように取り付けられる（図６（ｂ）参照）。
【００７０】
図７（Ｃ）の手すり棒４は、図７（Ｂ）の手すり棒４において、放熱手段７０の側板（放熱部）７０ｂの外側に、放熱フィン９１を付設したものとなっている。従って、空間部７１は、図７（Ｂ）の空間部７１よりも放熱フィン９１の分だけ小さく形成される。放熱フィン９１は、手すり棒４の長手方向と直行する断面形状が矩形状に形成され、上下方向の長さが放熱手段７０の側板７０ｂの長さと略同等に形成されている。
【００７１】
図７（Ｄ）の手すり棒４は、上記実施形態で説明した図６（ａ）の手すり棒４において、カバー４０の代わりにレンズ９３を取り付けたものとなっている。レンズ９３は、図７（Ｄ）に示すように凹レンズであり、従って、照明手段８０のＬＥＤ８２から発せられた光は下方に向かって拡散され、その結果、手すり棒４照明範囲が広くなる。
なお、レンズ９３を凸レンズとし、ＬＥＤ８２から発せられる光を集光してもよいし、レンズ９３に任意の凸凹を形成し、ＬＥＤ８２から発せられる光を散乱させてもよい。
また、カバー４０に光拡散板を用い、ＬＥＤ８２から発せられる光を均一光にしてもよい。
【００７２】
［タイプ２］
図８に示すタイプ２の手すり棒４の特徴は、補強ステー（補強手段）５０と放熱手段７０とが一体であり、つまり、補強手段５０は放熱手段７０を兼ねている（放熱手段７０は補強手段５０を兼ねている）ことである。
【００７３】
図８（Ｅ）において、手すり棒４の凹溝５には、補強ステー（補強手段）５０と放熱手段７０とが一体に形成された補強放熱手段９０が設けられている。補強放熱手段９０は、放熱部としての底板９０ａおよび側板９０ｂを有しており、手すり棒４の長手方向と直行する断面形状が凹状に形成され、上記実施形態で説明した図６（ａ）の補強ステー５０および図７（Ａ）〜（Ｄ）の補強ステー５０と略同じ形状となっている。
【００７４】
すなわち、図８（Ｅ）の手すり棒４は、上記実施形態で説明した図６（ａ）の手すり棒４において、放熱手段７０とカバー４０を無くし、照明手段８０を補強放熱手段９０に取り付けた構成となっている。従って、図８（Ｅ）の手すり棒４では、補強放熱手段９０の側板９０ｂ同士の間に外気と直接つながる空間部７１が形成される。この空間部７１は、補強放熱手段９０の側板９０ｂ同士の間隔が長いので、相対的に大きく形成される。
【００７５】
図８（Ｆ）の手すり棒４は、図７（Ａ）の手すり棒４において、補強ステー５０の底板５０ａのうち、放熱手段７０の上板７０ｄと対向する箇所を取り除いた形状となっている。つまり、図８（Ｆ）の補強放熱手段９０は、図７（Ａ）の補強ステー５０と放熱手段７０とを一体に形成したものから、底板５０ａのうちの上板７０ｄと対向する箇所を取り除いた形状となっている。
【００７６】
図８（Ｆ）の補強放熱手段９０は、手すり棒４の凹溝５に嵌合したとき、底板９０ａが凹溝５の底面５ａと、側板９０ｂ１が凹溝５の側面５ｂとにそれぞれ重合するように設けられる。また、底板９０ａの内側端部から延びる側板９０ｂ２は、側板９０ｂ１の略半分の長さに形成され、上板９０ｄの両端に連結されている。補強放熱手段９０のうち、上板９０ｄを除いた底板９０ａ、側板９０ｂ１、側板９０ｂ２が放熱部として機能する。そして、側板９０ｂ２と上板９０ｄとにより、手すり棒４の長手方向と直行する断面形状が凹状の配線通路凹溝６０が形成される。
【００７７】
この配線通路凹溝６０は、補強放熱手段９０を手すり棒４の凹溝５に取り付けたとき、図８（Ｆ）に示すように、凹溝５の底面５ａにより配線通路凹溝６０の開放箇所が閉塞され、これにより配線手段６１が自動的に形成される。すなわち、補強放熱手段９０に配線通路凹溝６０を設けることにより、手すり棒４と補強放熱手段９０が組み合わされたとき配線手段６１が形成される。
【００７８】
図８（Ｇ）において、補強放熱手段９０は、図８（Ｅ）に示した補強放熱手段９０の側板（放熱部）９０ｂ２が、手すり棒４の凹溝５の開放側に向かって補強放熱手段９０の側板９０ｂ１の長さと略同等まで延びた形状となっている。つまり、図８（Ｇ）に示す補強放熱手段９０は、図８（Ｆ）に示した補強放熱手段９０よりも側板９０ｂ２が大きく、手すり棒４の長手方向と直行する断面形状が略Ｈ状に形成され、上下方向の略中央に中板９０ｅを有している。側板９０ｂ２の先端にはカバー４０が取り付けられるので、従って、図８（Ｇ）の手すり棒４の方が、図８（Ｆ）の手すり棒４よりも、空間部７１が小さく形成される。
【００７９】
［タイプ３］
図９に示すタイプ３の手すり棒４の特徴は、タイプ２の手すり棒４と同様、補強ステー（補強手段）５０と放熱手段７０とが一体の補強放熱手段９０を有し、かつ、この補強放熱手段９０は、手すり棒４の凹溝５の外側に露出して外気に直接解放した鍔９０ｃを有していることである。
【００８０】
図９（Ｈ）において、手すり棒４の凹溝５には、補強ステー（補強手段）５０と放熱手段７０とが一体に形成された補強放熱手段９０が設けられている。補強放熱手段９０は、放熱部としての底板９０ａおよび側板９０ｂを有しており、これら底板９０ａおよび側板９０ｂの部分は、手すり棒４の長手方向と直行する断面形状が凹状に形成され、上記変形例のタイプ２で説明した図８（Ｅ）の補強放熱手段９０と略同じ形状となっている。
【００８１】
さらに、図９（Ｈ）に示す補強放熱手段９０は、放熱部としての鍔９０ｃを有しており、この鍔９０ｃは、側板９０ｂの下端部から手すり棒４の下面に沿って水平状に延び、手すり棒４の凹溝５の外側に露出するように設けられている。ここで、側板９０ｂにはカバー４０は設けられておらず、従って、この構成により、補強放熱手段９０には、放熱部として、外気に直接解放した底板９０ａ、側板９０ｂおよび鍔９０ｃが形成される。
【００８２】
なお、このタイプ３の手すり棒４は、鍔９０ｃを密着させるため、上記実施形態および変形例（タイプ１，２，４）とは形状が異なり、その下面部分が水平状に形成されている。そのため、手すり棒４の縦方向の長さが、上記実施形態および変形例（タイプ１，２）に示した手すり棒４よりもその分短くなっており、従って、補強放熱手段９０の縦方向の長さもその分短く形成されている。
【００８３】
図９（Ｉ）の手すり棒４は、図９（Ｈ）の手すり棒４において、補強放熱手段９０の側板９０ｂにカバー４０を取り付けたものとなっている。従って、図９（Ｉ）の手すり棒４においては、補強放熱手段９０の外気に直接解放した放熱部は、鍔９０ｃのみとなる。
【００８４】
図９（Ｊ）の手すり棒４は、図９（Ｉ）の手すり棒４において、補強放熱手段９０の鍔９０ｃに放熱フィン９１を取り付けたものとなっている。放熱フィン９１は、手すり棒４の長手方向と直行する断面形状が略三角状に形成され、鍔９０ｃの全面を覆うように設けられる。
【００８５】
図９（Ｋ）の手すり棒４は、上記変形例のタイプ２で説明した図８（Ｆ）の手すり棒４において、補強放熱手段９０に鍔９０ｃとカバー４０を取り付けたものとなっている。
【００８６】
［タイプ４］
図１０に示すタイプ４の手すり棒４の特徴は、タイプ２，３の手すり棒４と同様、補強ステー（補強手段）５０と放熱手段７０とが一体の補強放熱手段９０を有し、かつ、この補強放熱手段９０と手すり棒４の凹溝５との間に外気と直接つながる空間部７１が形成されていることである。
【００８７】
図１０（Ｌ）において、手すり棒４の凹溝５には、補強ステー（補強手段）５０と放熱手段７０とが一体に形成された補強放熱手段９０が設けられている。補強放熱手段９０は、底板９０ａおよび側板９０ｂを有しており、これら底板９０ａおよび側板９０ｂの部分は、手すり棒４の長手方向と直行する断面形状が凹状に形成されている。
【００８８】
しかして、図１０（Ｌ）に示す補強放熱手段９０は、底板９０ａが凹溝５の底面５ａよりも短く形成され、従って、側板９０ｂは凹溝５の側面５ｂと離間して設けられている。つまり、図１０（Ｌ）に示す手すり棒４は、上記変形例のタイプ２で説明した図８（Ｅ）の補強放熱手段９０において、底板９０ａを短くした形状となっている。その結果、凹溝５の側面５ｂと補強放熱手段９０の側板９０ｂとの間には、外気と直接つながる対流が起きるのに充分な空間部７１が形成される。すなわち、補強放熱手段９０には、外気に直接解放した放熱部（側板９０ｂ）が形成される。
【００８９】
図１０（Ｍ）において、補強放熱手段９０は、図１０（Ｌ）に示した補強放熱手段９０を手すり棒４の凹溝５に逆向きに設けた形状となっている。つまり、図１０（Ｍ）に示す補強放熱手段９０は、側板９０ｂと上板９０ｄとを有し、手すり棒４の長手方向と直行する断面形状が図１０（Ｌ）とは逆向きの凹状に形成される。
なお、補強放熱手段９０の側板９０ｂは、凹溝５の側面５ｂよりも若干短く形成され、これにより上板９０ｄに取り付けられた照明手段８０が凹溝５内に収納されるようになっている。
【００９０】
図１０（Ｎ）に示す手すり棒は、凹溝５を有する筒状に形成した金属製管からなるパイプ型手すり棒４ａであって、その内部に空洞部９５を有しており、従って、上記した他の手すり棒４とは手すり棒の本体部分の形状が異なっている。そして、パイプ型手すり棒４ａの外周表面には、機能付加シート９６が適宜手段（貼着等）で取り付けられている。
なお、機能付加シート９６は、上述したように、難燃性、耐湿性、耐候性、防虫性、抗菌性、防水性、防汚性、形状安定性、補強性、手ざわり性の少なくとも１つ以上の機能を有する機能層である。
ちなみに、他の手すり棒４（図１０（Ｎ）以外の手すり棒４）の本体部分は、難燃性、耐湿性、耐候性、防虫性、抗菌性、防水性、防汚性、形状安定性、補強性の少なくとも１つ以上の機能を有する機能剤をコーティング若しくは含浸した木製材料、または、これらの機能剤を混合した複合材である。
【００９１】
図１０（Ｎ）において、補強放熱手段９０は、図７（Ｂ）に示したタイプ１の放熱手段７０と略同形状であって、パイプ型手すり棒４ａの長手方向と直行する断面形状が略Ｈ状に形成され、上下方向の略中央に中板９０ｅを有している。そして、外気と直接つながる空間部７１は、補強放熱手段９０の側板９０ｂと凹溝５の側面５ｂを覆う機能付加シート９６との間に形成される。すなわち、補強放熱手段９０には、外気に直接解放した放熱部（側板９０ｂ）が形成される。
なお、パイプ型手すり棒４ａにおいて、配線通路凹溝６０の代わりとして、空洞部９５の中に上述したＡＣアダプタから基板８１までの配線を通すようにしてもよい。すなわち、パイプ型手すり棒４ａにおいては、空洞部９５が上述した配線通路凹溝６０と同等の「配線通路中空部」として機能し、その結果、配線通路凹溝６０を省略することが可能となる。
また、補強ステー５０と放熱手段７０と補強放熱手段９０の形状は、同様の効果が得られるのであれば、どのような形状であってもよいことは言うまでもない。
【００９２】
［効果］
以上の説明から明らかなように、本実施形態の手すり１は、手すり棒４に凹溝５を設け、この凹溝５に補強手段５０と、照明手段８０と、配線手段６１（配線通路凹溝６０）と、放熱手段７０とを集約して設けている。その結果、照明機能を持たせた手すり１を効率的に組み立てることが可能となる。特に、補強手段５０と放熱手段７０を一体的に設けると、なおさら効率良く組み立てることができる。
【００９３】
また、放熱手段７０は、外気に直接解放した放熱部（側板７０ｂ，９０ｂ，９０ｂ１，９０ｂ２、底板９０ａ、鍔９０ｃ）を形成したので、より効率的な放熱が可能になる。その結果、手すり棒４にどのような材質の材料を使用しても、手すり棒４の凹溝５に発熱量の高い高輝度な照明手段８０（例えば超高輝度ＬＥＤ）を組み込んでも、放熱によるＬＥＤ８２の発光素子部の冷却が可能となり、ＬＥＤ８２の寿命を縮めることなく、より明るい照明が可能な照明手すりを提供することが可能となる（照明手段発熱量＜放熱手段放熱量）。
特に、木製手すりなど、熱伝導性が金属材に比べて劣る材質のものを手すり棒本体に用いても、超高輝度ＬＥＤを組み込んだＬＥＤ照明手すりを提供することが可能となる。
【００９４】
手すり棒４は、難燃性、耐湿性、耐候性、防虫性、抗菌性、防水性、防汚性、形状安定性、補強性、手ざわり性を有し、かつ、高輝度照明が可能なので、より多くの人を対象として屋外での使用が可能で、長持ちし、より多くの人が安心安全に使用することができるＬＥＤ照明手すりを提供することが可能となる。
特に、手すり棒４の材質が木材であれば、屋外で使用しても、変形やささくれや変色がしにくい木製照明手すりが提供できる。
【００９５】
さらに、凹溝５を手すり棒４に設けてあるので、手すり棒本体が木材のときの、変形や割れが抑制でき、かつ、難燃性、耐湿性、耐候性、防虫性、抗菌性、防水性、防汚性、形状安定性、補強性の少なくとも１つ以上の機能を有する機能剤をコーティングまたは含浸した木製材料または混合した複合材を手すり棒４に用いるので、あるいは、手すり棒４の外周表面に、難燃性、耐湿性、耐候性、防虫性、抗菌性、防水性、防汚性、形状安定性、補強性の少なくとも１つ以上の機能を有する機能層（シート）を設けたので、別途設ける補強材（補強手段５０、放熱手段７０、補強放熱手段９０）による付加的補強が可能となる。その結果、補強材の断面積形状を極力小さくでき、補強材の材料原価を低減することができる（外部からの荷重＜手すり棒耐荷重＋補強手段耐荷重＋機能剤付加耐荷重＋放熱手段耐荷重）。
【００９６】
また、手すり棒４本体と補強手段５０と放熱手段７０と補強放熱手段９０の少なくともいずれか１つに配線通路凹溝６０を設け、手すり棒４の組み立てと同時に配線手段６１（配線通路）が形成されるようにしたので、効率的で、より簡単に配線することができる照明手すりを提供することが可能となる。
【００９７】
また、カバー４０は、照明手段８０の照明方向側に、放熱部（側板７０ｂ，９０ｂ，９０ｂ１，９０ｂ２、底板９０ａ、鍔９０ｃ）、および、外気と直接つながる空間部７１を被覆することがない態様で取り付けられるので、放熱部（側板７０ｂ，９０ｂ，９０ｂ１，９０ｂ２、底板９０ａ、鍔９０ｃ）から空間部７１への放熱を妨げることなく、照明手段８０（ＬＥＤ８２）からの光をカバー４０の光透過部を通して外部に照射することができる。
さらに、照明手段８０からの光を、任意の方向に拡散、集光、散乱、均一など、自在に照射することができる。
【００９８】
以上、本発明の実施形態に係る手すり１を図面に基づいて説明してきたが、具体的な構成は実施形態に示したものに限定されるものではなく、本発明の要旨を逸脱しない範囲における変更や追加などがあっても本発明に含まれる。
なお、本明細書において使用される用語は、特に言及しない限り、当該分野で通常用いられる意味で用いられることが理解されるべきである。従って、他に定義されない限り、本明細書中で使用される全ての専門用語及び技術用語は、本発明の属する分野の当業者によって一般的に理解されるのと同じ意味を有する。矛盾する場合、本明細書（定義も含めて）が優先する。
【符号の説明】
【００９９】
１…手すり
２…支柱
３…細径支柱
４…手すり棒
４ａ…パイプ型手すり棒
５…凹溝
５ａ…底面
５ｂ…側面
６…手すり固定金具
７…キャップ
８…開口部
１０…支柱固定ネジ
１１…角度固定ネジ
１２…ネジ
４０…カバー
５０…補強ステー（補強手段）
５０ａ…底板
５０ｂ…側板
６０…配線通路凹溝
６１…配線手段
７０…放熱手段
７０ａ…底板
７０ｂ…側板
７０ｃ…先端部
７０ｄ…上板
７０ｅ…中板
７１…空間部
８０…照明手段
８１…基板
８２…ＬＥＤ
８３…熱伝導層
８４…防水シールド
９０…補強放熱手段
９０ａ…底板
９０ｂ…側板
９０ｂ１…側板
９０ｂ２…側板
９０ｃ…鍔
９０ｄ…上板
９０ｅ…中板
９１…放熱フィン
９３…レンズ
９５…空洞部（配線通路中空部）
９６…機能付加シート
【図１】
2018066150.tif 000003
【図２】
2018066150.tif 000004
【図３】
2018066150.tif 000005
【図４】
2018066150.tif 000006
【図５】
2018066150.tif 000007
【図６】
2018066150.tif 000008
【図７】
2018066150.tif 000009
【図８】
2018066150.tif 000010
【図９】
2018066150.tif 000011
【図１０】
2018066150.tif 000012